(57)【要約】【課題】動画である電子教材の改善箇所を提案する。【解決手段】電子教材分析サーバ２００は、学習者利用端末１０から送信された視聴履歴に基づいて、学習者の視聴時間を、動画である電子教材の再生位置と対応付けて、再生履歴データベース２５０に記録した上で、電子教材の再生位置ごとに再生速度を得点化し、分析を行うことで、電子教材の一部分における難易度や理解貢献度を評価し、視覚化する。【選択図】図１
2015011290.tif 000002
【特許請求の範囲】
【請求項１】
電子教材管理端末、及び一以上の、動画である電子教材の再生速度を変更可能な学習者利用端末と通信可能に接続され、前記学習者利用端末による前記電子教材の再生履歴を記憶させる再生履歴データベースを記憶部に備える電子教材分析サーバであって、
前記学習者利用端末から、一の前記電子教材について、視聴開始からの経過時間と当該電子教材の再生位置の変化の組み合わせである再生履歴を受信する再生履歴受信手段と、
前記受信した再生履歴を、前記再生履歴データベースに記憶させる再生履歴記憶手段と、
前記記憶させた再生履歴について、一方を変数としたグラフを生成するグラフ生成手段と、
前記生成したグラフを、前記電子教材管理端末に送信するグラフ送信手段と、
前記電子教材の、任意の再生位置において表示される画像を取得する教材画像取得手段と、
前記取得した表示画像を、前記電子教材管理端末に送信する教材画像送信手段と、
を備えることを特徴とする電子教材分析サーバ。
【請求項２】
二以上の前記学習者利用端末から同一の前記電子教材について受信した再生履歴について、一方を変数とした複数のグラフを重ね合わせて、一のグラフを生成する複数グラフ生成手段と、
前記生成したグラフを、前記電子教材管理端末に送信する複数グラフ送信手段と、
を備えることを特徴とする請求項１に記載の電子教材分析サーバ。
【請求項３】
前記受信した再生履歴に基づいて、前記電子教材の、所定の間隔毎に区切られた各再生位置における再生速度を算出する再生速度算出手段と、
前記算出された再生速度を、所定の規則に基づいて得点化することで、再生位置ごとに再生速度に基づいた得点を算出する得点算出手段と、
二以上の前記学習者利用端末から同一の前記電子教材について受信した再生履歴について、前記算出した得点を集計する得点集計手段と、
前記集計した得点をグラフ化し、得点グラフとして可視化する得点グラフ生成手段と、
前記可視化した得点グラフを、前記電子教材管理端末に送信する得点グラフ送信手段と、
を備えることを特徴とする請求項１又は２に記載の電子教材分析サーバ。
【請求項４】
前記得点集計手段において、前記算出した得点を、前記学習者利用端末ごとに正規化して集計することを特徴とする請求項３に記載の電子教材分析サーバ。
【請求項５】
電子教材管理端末、及び一以上の、動画である電子教材の再生速度を変更可能な学習者利用端末と通信可能に接続され、前記学習者利用端末による前記電子教材の再生履歴を記憶させる再生履歴データベースを記憶部に備える電子教材分析サーバが実行する電子教材分析方法であって、
前記学習者利用端末から、一の前記電子教材について、視聴開始からの経過時間と当該電子教材の再生位置の変化の組み合わせである再生履歴を受信するステップと、
前記受信した再生履歴を、前記再生履歴データベースに記憶させるステップと、
前記記憶させた再生履歴について、一方を変数としたグラフを生成するステップと、
前記生成したグラフを、前記電子教材管理端末に送信するステップと、
前記電子教材の、任意の再生位置において表示される画像を取得するステップと、
前記取得した表示画像を、前記電子教材管理端末に送信するステップと、
を備えることを特徴とする電子教材分析方法。
【請求項６】
電子教材管理端末、及び一以上の、動画である電子教材の再生速度を変更可能な学習者利用端末と通信可能に接続され、前記学習者利用端末による前記電子教材の再生履歴を記憶させる再生履歴データベースを記憶部に備える電子教材分析サーバに、
前記学習者利用端末から、一の前記電子教材について、視聴開始からの経過時間と当該電子教材の再生位置の変化の組み合わせである再生履歴を受信するステップ、
前記受信した再生履歴を、前記再生履歴データベースに記憶させるステップ、
前記記憶させた再生履歴について、一方を変数としたグラフを生成するステップ、
前記生成したグラフを、前記電子教材管理端末に送信するステップ、
前記電子教材の、任意の再生位置において表示される画像を取得するステップ、
前記取得した表示画像を、前記電子教材管理端末に送信するステップ、
を実行させることを特徴とする電子教材分析サーバ用プログラム。
【発明の詳細な説明】
【技術分野】
【０００１】
本発明は、動画である電子教材を分析する電子教材分析サーバ、電子教材分析方法、及び、電子教材分析サーバ用プログラムに関する。
【０００２】
近年、インターネットの発展に伴い、電子教材を用いた教育サービスであるｅ-Ｌｅａｒｎｉｎｇが提供されている。電子教材には様々な形態があるが、書籍では提供しにくい、動画やインタラクティブ性が高いリッチコンテンツを提供できることが、インターネットを介したｅ-Ｌｅａｒｎｉｎｇの強みの一つとなっている。
【０００３】
また、インターネットの特徴の一つである双方向性を用いて、フィードバックを受けることができるのも、ｅ-Ｌｅａｒｎｉｎｇの強みの一つと言える。例えば、不正解が多い分野の問題を重点的に多くし、正解率が高い問題はしばらく表示しないといった、個人へのパーソナライズを、自動化して行うことができる。
【０００４】
一方で教材の観点から見れば、個々の教材に対する学習者の所要時間を集計することで、教材ごとの理解貢献度を算出し、学習者に優先して受けさせるべき教材や、削除や改善の必要がある教材の検出は理論上可能であり、ｅ-Ｌｅａｒｎｉｎｇにおける課題の一つとなっている。
【０００５】
このような課題に対して、学習用コンテンツの学習者に対する理解貢献度を検出し、その状況を視覚的に提供するシステムが開示されている。
【先行技術文献】
【特許文献】
【０００６】
【特許文献１】特開２００６−１３３６１６号公報
【発明の概要】
【発明が解決しようとする課題】
【０００７】
特許文献１においては、ネットワークを介して接続されたクライアントコンピュータと、様々な多数な学習用コンテンツ及び、学習者の学習所要時間を蓄積する所要時間データベースを持つサーバから構成されるｅ-Ｌｅａｒｎｉｎｇシステムが開示され、当該システムにおいて、サーバが、学習用コンテンツの学習者に対する理解貢献度を検出し、その状況を視覚的に提供する手法が開示されている。
【０００８】
しかしながら、特許文献１に記載された手法では、先生等の学習管理者が視覚的に学習状況を理解するには、まだまだ不十分である。特に、提供する学習コンテンツの適正と学習者の理解という点において、個別具体的に先生等が検討するためのデータの提供が不十分である。さらに、特許文献１では、個々のコンテンツを全体で一要素として扱っているため、いざ改善の必要がある学習用コンテンツを特定できたとしても、そのコンテンツのどの部分に問題があり、改善すれば良いのかという判断をすることができない。
【０００９】
本発明は、これらの課題に鑑み、学習者の視聴時間を、動画である電子教材の再生位置と対応付けて記録した上で、電子教材の再生位置ごとに再生速度に基づいて、視聴分析を行うことで、電子教材の一部分における難易度や理解貢献度を評価し、視覚化する電子教材分析サーバ、電子教材分析方法、及び電子教材分析サーバ用プログラムを提供することを目的とする。
【課題を解決するための手段】
【００１０】
本発明では、以下のような解決手段を提供する。
【００１１】
第１の特徴に係る発明は、電子教材管理端末、及び一以上の、動画である電子教材の再生速度を変更可能な学習者利用端末と通信可能に接続され、前記学習者利用端末による前記電子教材の再生履歴を記憶させる再生履歴データベースを記憶部に備える電子教材分析サーバであって、
前記学習者利用端末から、一の前記電子教材について、視聴開始からの経過時間と当該電子教材の再生位置の変化の組み合わせである再生履歴を受信する再生履歴受信手段と、
前記受信した再生履歴を、前記再生履歴データベースに記憶させる再生履歴記憶手段と、
前記記憶させた再生履歴について、一方を変数としたグラフを生成するグラフ生成手段と、
前記生成したグラフを、前記電子教材管理端末に送信するグラフ送信手段と、
前記電子教材の、任意の再生位置において表示される画像を取得する教材画像取得手段と、
前記取得した表示画像を、前記電子教材管理端末に送信する教材画像送信手段と、
を備えることを特徴とする電子教材分析サーバを提供する。
【００１２】
第１の特徴に係る発明によれば、電子教材管理端末、及び一以上の、動画である電子教材の再生速度を変更可能な学習者利用端末と通信可能に接続され、前記学習者利用端末による前記電子教材の再生履歴を記憶させる再生履歴データベースを記憶部に備える電子教材分析サーバは、前記学習者利用端末から、一の前記電子教材について、視聴開始からの経過時間と当該電子教材の再生位置の変化の組み合わせである再生履歴を受信し、前記受信した再生履歴を、前記再生履歴データベースに記憶させ、前記記憶させた再生履歴について、一方を変数としたグラフを生成し、前記生成したグラフを、前記電子教材管理端末に送信し、前記電子教材の、任意の再生位置において表示される画像を取得し、前記取得した表示画像を、前記電子教材管理端末に送信する。
【００１３】
第１の特徴に係る発明は、電子教材分析サーバのカテゴリであるが、電子教材分析方法、及び電子教材分析サーバ用プログラムであっても、カテゴリに応じた同様の作用、効果を奏する。
【００１４】
第２の特徴に係る発明は、二以上の前記学習者利用端末から同一の前記電子教材について受信した再生履歴について、一方を変数とした複数のグラフを重ね合わせて、一のグラフを生成する複数グラフ生成手段と、
前記生成したグラフを、前記電子教材管理端末に送信する複数グラフ送信手段と、
を備えることを特徴とする第１の特徴に係る発明である電子教材分析サーバを提供する。
【００１５】
第２の特徴に係る発明によれば、第１の特徴に係る発明である電子教材分析サーバは、二以上の前記学習者利用端末から同一の前記電子教材について受信した再生履歴について、一方を変数とした複数のグラフを重ね合わせて、一のグラフを生成し、前記生成したグラフを、前記電子教材管理端末に送信する。
【００１６】
第３の特徴に係る発明は、前記受信した再生履歴に基づいて、前記電子教材の、所定の間隔毎に区切られた各再生位置における再生速度を算出する再生速度算出手段と、
前記算出された再生速度を、所定の規則に基づいて得点化することで、再生位置ごとに再生速度に基づいた得点を算出する得点算出手段と、
二以上の前記学習者利用端末から同一の前記電子教材について受信した再生履歴について、前記算出した得点を集計する得点集計手段と、
前記集計した得点をグラフ化し、得点グラフとして可視化する得点グラフ生成手段と、
前記可視化した得点グラフを、前記電子教材管理端末に送信する得点グラフ送信手段と、
を備えることを特徴とする第１又は第２の特徴に係る発明である電子教材分析サーバを提供する。
【００１７】
第３の特徴に係る発明によれば、第１又は第２の特徴に係る発明である電子教材分析サーバは、前記受信した再生履歴に基づいて、前記電子教材の、所定の間隔毎に区切られた各再生位置における再生速度を算出し、前記算出された再生速度を、所定の規則に基づいて得点化することで、再生位置ごとに再生速度に基づいた得点を算出し、二以上の前記学習者利用端末から同一の前記電子教材について受信した再生履歴について、前記算出した得点を集計し、前記集計した得点をグラフ化することで得点グラフとして可視化し、前記可視化した得点グラフを、前記電子教材管理端末に送信する。
【００１８】
第４の特徴に係る発明は、前記得点集計手段において、前記算出した得点を、前記学習者利用端末ごとに正規化して集計することを特徴とする、第３の特徴に係る発明である電子教材分析サーバを提供する。
【００１９】
第４の特徴に係る発明によれば、第３の特徴に係る発明である電子教材分析サーバは、前記得点集計手段において、前記算出した得点を、前記学習者利用端末ごとに正規化して集計する。
【００２０】
第５の特徴に係る発明は、電子教材管理端末、及び一以上の、動画である電子教材の再生速度を変更可能な学習者利用端末と通信可能に接続され、前記学習者利用端末による前記電子教材の再生履歴を記憶させる再生履歴データベースを記憶部に備える電子教材分析サーバが実行する電子教材分析方法であって、
前記学習者利用端末から、一の前記電子教材について、視聴開始からの経過時間と当該電子教材の再生位置の変化の組み合わせである再生履歴を受信するステップと、
前記受信した再生履歴を、前記再生履歴データベースに記憶させるステップと、
前記記憶させた再生履歴について、一方を変数としたグラフを生成するステップと、
前記生成したグラフを、前記電子教材管理端末に送信するステップと、
前記電子教材の、任意の再生位置において表示される画像を取得するステップと、
前記取得した表示画像を、前記電子教材管理端末に送信するステップと、
を備えることを特徴とする電子教材分析方法を提供する。
【００２１】
第６の特徴に係る発明は、電子教材管理端末、及び一以上の、動画である電子教材の再生速度を変更可能な学習者利用端末と通信可能に接続され、前記学習者利用端末による前記電子教材の再生履歴を記憶させる再生履歴データベースを記憶部に備える電子教材分析サーバに、
前記学習者利用端末から、一の前記電子教材について、視聴開始からの経過時間と当該電子教材の再生位置の変化の組み合わせである再生履歴を受信するステップ、
前記受信した再生履歴を、前記再生履歴データベースに記憶させるステップ、
前記記憶させた再生履歴について、一方を変数としたグラフを生成するステップ、
前記生成したグラフを、前記電子教材管理端末に送信するステップ、
前記電子教材の、任意の再生位置において表示される画像を取得するステップ、
前記取得した表示画像を、前記電子教材管理端末に送信するステップ、
を実行させることを特徴とする電子教材分析サーバ用プログラムを提供する。
【発明の効果】
【００２２】
本発明によれば、学習者の視聴時間を、動画である電子教材の再生位置と対応付けて記録した上で、電子教材の再生位置ごとに再生速度に基づいて、視聴分析を行うことで、電子教材の一部分における難易度や理解貢献度を評価し、視覚化する電子教材分析サーバ、電子教材分析方法、及び電子教材分析サーバ用プログラムを提供することが可能となる。
【図面の簡単な説明】
【００２３】
【図１】図１は、本発明の好適な実施形態である電子教材分析システム１の概要図である。
【図２】図２は、電子教材分析システム１の全体構成図である。
【図３】図３は、学習者利用端末１０、電子教材管理端末１５０、電子教材分析サーバ２００の機能ブロックと各機能の関係を示す図である。
【図４】図４は、学習者利用端末１０、電子教材分析サーバ２００が実行する再生履歴記憶処理のフローチャート図である。
【図５】図５は、電子教材管理端末１５０、電子教材分析サーバ２００が実行する再生履歴グラフ表示処理のフローチャート図である。
【図６】図６は、電子教材管理端末１５０、電子教材分析サーバ２００が実行する得点グラフ表示処理のフローチャート図である。
【図７】図７は、電子教材管理端末１５０の表示部に表示された再生履歴グラフの一例である。
【図８】図８は、電子教材分析サーバ２００によって生成された、得点グラフの一例である。
【図９】図９は、算出された得点と、集計結果をまとめた得点表の一例である。
【図１０】図１０は、正規化された得点表の一例である。
【発明を実施するための形態】
【００２４】
以下、本発明を実施するための最良の形態について図を参照しながら説明する。なお、これはあくまでも一例であって、本発明の技術的範囲はこれに限られるものではない。
【００２５】
［電子教材分析システム１の概要］
図１は、本発明の好適な実施形態である電子教材分析システム１の概要を説明するための図である。この図１に基づいて、電子教材分析システム１の概要を説明する。
【００２６】
初めに、学習者利用端末１０は、動画である電子教材を再生する（ステップＳ０１）。通常電子教材は、ダウンロードやストリーミング配信により学習者利用端末１０に提供される。ここで、電子教材分析サーバ２００が電子教材の提供元になっていてもよいし、電子教材そのものは別のサーバから提供されてもよい。
【００２７】
学習者利用端末１０は、早送りや巻き戻し、一時停止等、電子教材の再生速度を変更できるものとする。再生が終わった後、あるいは再生中逐次的に、学習者利用端末１０は、電子教材の再生開始からの経過時間と、電子教材の再生位置の変化の組み合わせを、電子教材分析サーバ２００に送信する（ステップＳ０２）。ここで、再生開始からの経過時間とは現実の経過時間を指し、再生位置は、電子教材たる動画内における経過時間を指す。
【００２８】
次に、再生履歴を受信した電子教材分析サーバ２００は、電子教材の情報と、再生履歴とを、関連付けて再生履歴データベース２５０に記憶させる（ステップＳ０３）。
【００２９】
以降の処理は、学習者利用端末１０とは独立して実行される。電子教材分析サーバ２００は、電子教材管理端末１５０からの要求に応じて、特定の電子教材に関する再生履歴を再生履歴データベース２５０から抽出する（ステップＳ０４）。
【００３０】
その後、抽出した再生履歴をグラフ化し、又は再生位置ごとの再生速度を得点化し集計したものをグラフ化して、当該グラフを電子教材管理端末１５０へ送信する（ステップＳ０５）。電子教材管理端末１５０は、受信したグラフを表示部に表示する。なお、グラフは送信時点で画像化されていてもよいし、電子教材管理端末１５０が受信したデータに基づいてグラフを描画してもよい。
【００３１】
以上が、電子教材分析システム１の概要である。
【００３２】
［電子教材分析システムのシステム構成］
図２は、電子教材分析システム１の全体構成図である。電子教材分析システム１において、一以上の学習者利用端末１０と電子教材分析サーバ２００は、公衆回線網３を介して通信可能に接続されている。また、電子教材管理端末１５０と電子教材分析サーバ２００は、公衆回線網３を介して通信可能に接続されている。電子教材分析サーバ２００は、記憶部に再生履歴データベース２５０を備える。
【００３３】
学習者利用端末１０は、後述する機能を備え、動画である電子教材を、再生速度を変化させながら視聴可能である一般の端末であってよい。
【００３４】
電子教材管理端末１５０は、電子教材に関する各種グラフや、教材画像を電子教材分析サーバ２００から受信して表示する一般の端末であってよい。
【００３５】
電子教材分析サーバ２００は、後述する機能を備えた一般的なサーバであってよい。
【００３６】
［各機能の説明］
図３は、学習者利用端末１０、電子教材管理端末１５０、電子教材分析サーバ２００の機能ブロックと各機能の関係を示す図である。
【００３７】
学習者利用端末１０は、制御部１１として、ＣＰＵ（Ｃｅｎｔｒａｌ  Ｐｒｏｃｅｓｓｉｎｇ  Ｕｎｉｔ），ＲＡＭ（Ｒａｎｄｏｍ  Ａｃｃｅｓｓ  Ｍｅｍｏｒｙ），ＲＯＭ（Ｒｅａｄ  Ｏｎｌｙ  Ｍｅｍｏｒｙ）等を備え、通信部として、例えば、ＩＥＥＥ８０２．１１に準拠したＷｉＦｉ（Ｗｉｒｅｌｅｓｓ  Ｆｉｄｅｌｉｔｙ対応デバイス又は、第３世代移動通信システム等のＩＭＴ−２０００規格に準拠した無線デバイス等と、ＧＰＳデバイスを備える。また、学習者利用端末１０は入出力部１３として、制御部で制御したデータや画像、音声を出力表示する出力部を備え、かつ、ユーザからの入力を受付けるタッチパネルやキーボード、マウス、マイク等の入力部を備える。
【００３８】
学習者利用端末１０において、制御部１１が所定のプログラムを読み込むことで、通信部１２と協働して、電子教材取得モジュール１４、再生履歴送信モジュール１５を実現する。また、学習者利用端末１０において、制御部１１が所定のプログラムを読み込むことで、入出力部１３と協働して、電子教材再生モジュール１６を実現する。
【００３９】
電子教材管理端末１５０は、同様に、制御部１５１として、ＣＰＵ，ＲＡＭ，ＲＯＭ等を備え、通信部１５２として、例えば、ＩＥＥＥ８０２．１１に準拠したＷｉＦｉ対応デバイスとを備える（有線であってもよい）。また、電子教材管理端末１５０は入出力部１５３として、制御部で制御したデータや画像、音声を出力表示する出力部を備え、かつ、ユーザからの入力を受付けるタッチパネルやキーボード、マウス、マイク等の入力部を備える。
【００４０】
電子教材管理端末１５０において、制御部１５１が所定のプログラムを読み込むことで、通信部１５２と協働して、グラフ受信モジュール１５４、教材画像受信モジュール１５５を実現する。また、電子教材管理端末１５０において、制御部１１が所定のプログラムを読み込むことで、入出力部１５３と協働して、グラフ表示モジュール１５６、教材画像表示モジュール１５７を実現する。
【００４１】
電子教材分析サーバ２００は、同様に、制御部２０１として、ＣＰＵ，ＲＡＭ，ＲＯＭ等を備え、通信部２０２として、例えば、ＩＥＥＥ８０２．１１に準拠したＷｉＦｉ対応デバイスとを備える（有線であってもよい）。また、電子教材分析サーバ２００は、記憶部２０３として、ハードディスクや半導体メモリによる、データのストレージ部を備える。記憶部２０３には、再生履歴データベース２５０が記憶されている。
【００４２】
電子教材分析サーバ２００の制御部２０１が所定のプログラムを読み込むことで、通信部２０２と協働して、再生履歴受信モジュール２０４、グラフ送信モジュール２０５、教材画像取得モジュール２０６、教材画像送信モジュール２０７、複数グラフ送信モジュール２０８、得点グラフ送信モジュール２０９を実現する。また、電子教材分析サーバ２００の制御部２０１が所定のプログラムを読み込むことで、記憶部２０３と協働して、再生履歴記憶モジュール２１０、グラフ生成モジュール２１１、複数グラフ生成モジュール２１２、再生速度算出モジュール２１３、得点算出モジュール２１４、得点集計モジュール２１５、得点グラフ生成モジュール２１６を実現する。
【００４３】
［再生履歴記憶処理］
図４は、学習者利用端末１０、電子教材分析サーバ２００が実行する再生履歴記憶処理のフローチャートである。上述した各装置のモジュールが行う処理について、本処理にて併せて説明する。
【００４４】
初めに、学習者利用端末１０の電子教材取得モジュール１４は、再生に係る電子教材を取得する（ステップＳ１１）。通常電子教材は、ダウンロードやストリーミング配信により学習者利用端末１０に提供される。ここで、電子教材分析サーバ２００が電子教材の提供元であってもよいし、電子教材そのものは別のサーバから提供され、電子教材分析サーバ２００はその分析機能のみを提供してもよい。本実施例では、電子教材は別のサーバから提供されるものとする。
【００４５】
次に、学習者利用端末１０の電子教材再生モジュール１６は、取得した電子教材を再生する（ステップＳ１２）。ここで、電子教材再生モジュール１６は、電磁教材の再生速度を変更でき、例えば１．５倍、２倍といった高速再生や０．５倍といった低速再生に加え、一時停止、巻き戻しが可能であるとする。
【００４６】
その結果、視聴開始から経過した時刻と、電子教材の再生位置とは、必ずしも一致しないこととなる。学習者利用端末１０の再生履歴送信モジュール１５は、視聴開始から経過した時刻と、電子教材の再生位置とを組み合わせた値を一秒や一分といった一定時刻毎に記録し、再生終了までの値の組み合わせを再生履歴として、学習者ＩＤ、電子教材情報とともに電子教材分析サーバ２００へ送信する（ステップＳ１３）。電子教材分析サーバ２００の再生履歴受信モジュール２０４は、電子教材情報と再生履歴を受信する（ステップＳ１４）。ここで、再生開始からの経過時間とは現実の経過時間を指し、再生位置は、電子教材たる動画内における経過時間を指す。
【００４７】
また、電子教材情報は、受信した再生履歴がどの電子教材を再生した時のものかを判別するための電子教材の識別子を少なくとも含む。学習者ＩＤは、受信した再生履歴がどの学習者のものであるかを判別するための識別子である。電子教材分析サーバ２００の再生履歴記憶モジュール２１０は、受信した再生履歴を、学習者ＩＤ、及び電子教材情報と関連付けて、再生履歴データベース２５０に記憶させる（ステップＳ１５）。
【００４８】
以上が、再生履歴記憶処理の手順である。
【００４９】
［再生履歴グラフ表示処理］
図５は、電子教材管理端末１５０と、電子教材分析サーバ２００が実行する再生履歴グラフ表示処理のフローチャートである。上述した各装置のモジュールが行う処理について、本処理にて併せて説明する。
【００５０】
初めに、電子教材管理端末１５０のグラフ受信モジュール１５４は、電子教材分析サーバ２００に対してグラフ化する電子教材と学習者の情報を送信する（ステップＳ２１）。電子教材分析サーバ２００のグラフ送信モジュール２０５は、電子教材と学習者の情報を受信すると（ステップＳ２２）、電子教材情報と、学習者の情報に含まれる学習者ＩＤをもって、再生履歴データベース２５０から再生履歴を抽出する（ステップＳ２３）。
【００５１】
次に、電子教材分析サーバ２００のグラフ生成モジュール２１１は、抽出した再生履歴について、経過時間と再生位置の一方を変数としてグラフを生成する（ステップＳ２４）。ここで、グラフはこの時点で画像化されてもよいし、グラフ種類とデータ列といった、電子教材管理端末１５０がグラフとして描画可能なデータ構造に変換されてもよい。
【００５２】
また、受信した学習者の情報が複数であるか、あるいは指定が無い場合に、抽出した再生履歴が複数である場合には、ステップＳ２４において、複数グラフ生成モジュール２１２が、複数のグラフを重ねて一つのグラフとして生成する。このグラフ、あるいは複数グラフをまとめて再生履歴グラフと呼称する。
【００５３】
次に、電子教材分析サーバ２００のグラフ送信モジュール２０５、又は複数グラフ送信モジュール２０８が生成した再生履歴グラフを送信し（ステップＳ２５）、電子教材管理端末１５０のグラフ受信モジュール１５４がそれを受信する（ステップＳ２６）。そして、グラフ表示モジュール１５６が、受信した再生履歴グラフを電子教材管理端末１５０の表示部に表示する（ステップＳ２７）。
【００５４】
図７は、電子教材管理端末１５０の表示部に表示された再生履歴グラフの一例である。縦軸の示す横軸の示す再生位置７１が、視聴経過時間Ｓ７２を変数としてグラフ化されている。例えば、再生位置を変化させず、常に一倍速で再生した場合のグラフが７３として描画され、それよりも高速に再生した場合のグラフが７４として示されている。また、巻き戻しや早送りを行った場合は、縦棒７５のように視聴経過時間に参入せず描画される。
【００５５】
ここで、再生履歴グラフを見ながら、各再生位置において、教材の動画がどの場面であるかを確認したい場合があると考えられる。そのような場合には、電子教材管理端末１５０の教材画像受信モジュール１５５が、特定の再生位置における教材画像を電子教材分析サーバ２００に要求する（ステップＳ２８）。
【００５６】
電子教材分析サーバ２００の教材画像送信モジュール２０７は要求を受信すると（ステップＳ２９）、教材画像取得モジュール２０６が、電子教材の提供を行う別サーバに問い合わせて、特定の再生位置における動画の表示画像を取得する（ステップＳ３０）。
【００５７】
そして、教材画像送信モジュール２０７が取得した教材画像を送信すると（ステップＳ３１）、電子教材管理端末１５０の教材画像受信モジュール１５５がそれを受信し（ステップＳ３２）、教材画像表示モジュール１５７が電子教材管理端末１５０の表示部に表示する（ステップＳ３３）。これにより、再生履歴グラフを閲覧しながら、特定の再生位置における教材画像が確認可能となる。
【００５８】
以上が、再生履歴グラフ表示処理の手順である。
【００５９】
［得点グラフ表示処理］
図６は、電子教材管理端末１５０と、電子教材分析サーバ２００が実行する得点グラフ表示処理のフローチャートである。上述した各装置のモジュールが行う処理について、本処理にて併せて説明する。
【００６０】
初めに、電子教材管理端末１５０のグラフ受信モジュール１５４は、電子教材分析サーバ２００に対してグラフ化する電子教材の情報を送信する（ステップＳ４１）。電子教材分析サーバ２００の得点グラフ送信モジュール２０９は、電子教材の情報を受信すると（ステップＳ４２）、電子教材情報をもって、再生履歴データベース２５０から再生履歴を抽出する（ステップＳ４３）。
【００６１】
電子教材分析サーバ２００の再生速度算出モジュール２１３は、所定の間隔毎の再生位置それぞれにおける、再生速度を算出する（ステップＳ４４）。一例として、所定の間隔が五分間隔であった場合に、再生位置が０分、５分、１０分等における前後２分３０秒について、学習者が実際に視聴に要した時間により５分間を割ることで、再生速度が算出可能である。この再生速度の算出は、学習者毎に行う。
【００６２】
なお、０秒においては再生後の２分３０秒のみが分子となり、教材末尾においても５分よりも短い時間が分子となる。また、巻き戻しにより複数回の視聴が会った時にはその経過時間を合算する。そのほか、早送りにより再生が行われなかった部分は無視して考えてよい。
【００６３】
次に、電子教材分析サーバ２００の得点算出モジュール２１４は、算出した再生速度を特定の規則に基づいて得点化する（ステップＳ４５）。特定の規則として、本実施例では再生速度がｎ倍であった時に、得点を１／ｎとして算出する。例えば、再生速度が二倍であった場合には、得点は０．５となり、再生速度が０．５倍であった場合には、得点は２となる。
【００６４】
続いて、電子教材分析サーバ２００の得点集計モジュール２１５は、学習者ごとに算出した得点を、再生位置ごとに集計する（ステップＳ４６）。結果、再生速度が速くなる再生位置における得点は、ｎが大きくなる為、低くなる傾向になる。
【００６５】
図９は、算出された得点と、集計結果をまとめた得点表の一例である。それぞれの再生位置における、各学習者の再生速度の逆数が、得点としてまとめられ、合計点が集計されている。この合計点が高いほど、その再生位置には視聴時間がかけられている傾向にある。なお、ここに示された得点は、図７に示されるグラフと厳密に対応していない。
【００６６】
図１０は、図９に示される得点表を正規化したものである。各学習者には、全体として再生が早いものや、全体として再生が遅い者がおり、得点を単純に足し合わせた場合、再生速度の傾向が各学習者における重みとして足し合わされてしまう。結果、最も得点が高い再生位置は、図９と図１０において異なっている。
【００６７】
集計した得点正規化をしなかった場合には、教材内のみならず、総合的な学習者の習熟度を反映して、単純に最も時間がかけられた、あるいはかけられない再生位置を特定可能である。また、正規化した場合には、動画内の再生位置ごとに、学習者ごとの重みを一定とみなした場合の比較が可能となる。
【００６８】
次に、電子教材分析サーバ２００の得点グラフ生成モジュール２１６は、集計した得点をグラフ化し、得点グラフを生成する（ステップＳ４７）。ここで、グラフはこの時点で画像化されてもよいし、あるいは電子教材管理端末１５０がグラフとして描画可能な特定構造のデータ列に変換されてもよい。
【００６９】
そして、得点グラフ送信モジュール２０９が生成した得点グラフを送信すると（ステップＳ４８）、電子教材管理端末１５０のグラフ受信モジュール１５４がそれを受信し（ステップＳ４９）、グラフ表示モジュール１５６が電子教材管理端末１５０の表示部に表示する（ステップＳ５０）。
【００７０】
図８は、生成された得点グラフの一例である。縦軸である得点８１と、横軸である再生位置８２に基づいて、算出した各学習者の得点８３と、集計した得点８４とが示されている。ここに示す集計した得点８４は、正規化後に集計したものである。これにより、各再生位置における合計得点を可視化することが可能となる。
【００７１】
その結果、電子教材内において相対的、あるいは絶対的に時間がかけられている、あるいはかけられていない箇所の特定が可能となる。その理由としては、内容がつまらないか、分かりにくいか、難易度が低すぎる、あるいは高すぎる、といった要素が考えられる。なお、正規化前後の得点が一定よりも高いか、あるいは低い場合に、得点グラフ生成モジュール２１６が得点グラフ上に注目すべき点であることを示唆することにより、改善点の提案を行ってもよい。
【００７２】
以上が、得点グラフ表示処理の手順である。
【００７３】
なお、上述の電子教材分析サーバ２００のグラフ生成モジュール２１１が実行するグラフ生成は、電子教材管理端末１５０が実行してもよい。すなわち、電子教材管理端末１５０がグラフ生成モジュールを備えており、電子教材分析サーバ２００から再生履歴に関するデータ（ログ）を受信して、電子教材管理端末１５０がグラフ生成してもよい。これは、複数グラフや得点グラフにおいても同様であってよい。
【００７４】
また、教材画像表示モジュール２０７は、ストリーム式で教材画像の動画を提供してもよいし、動画データを電子教材管理端末１５０に一括して送信し、表示させる形式であってもよい。動画データを電子教材管理端末１５０に一括して送信するタイミングは、任意であってよい。
【００７５】
上述した手段、機能は、コンピュータ（ＣＰＵ，情報処理装置，各種端末を含む）が、所定のプログラムを読み込んで、実行することによって実現される。プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記憶装置または外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００７６】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００７７】
１  電子教材分析システム、３  公衆回線網、１０  学習者利用端末、１５０  電子教材管理端末、２００  電子教材分析サーバ、２５０  再生履歴データベース
【図１】
2015011290.tif 000003
【図２】
2015011290.tif 000004
【図３】
2015011290.tif 000005
【図４】
2015011290.tif 000006
【図５】
2015011290.tif 000007
【図６】
2015011290.tif 000008
【図７】
2015011290.tif 000009
【図８】
2015011290.tif 000010
【図９】
2015011290.tif 000011
【図１０】
2015011290.tif 000012
【手続補正書】
【提出日】平成25年7月4日(2013.7.4)
【手続補正１】
【補正対象書類名】特許請求の範囲
【補正対象項目名】全文
【補正方法】変更
【補正の内容】
【特許請求の範囲】
【請求項１】
電子教材管理端末、及び一以上の、動画である電子教材の再生速度を変更可能な学習者利用端末と通信可能に接続され、前記学習者利用端末による前記電子教材の再生履歴を記憶させる再生履歴データベースを記憶部に備える電子教材分析サーバであって、
前記学習者利用端末から、一の前記電子教材について、視聴開始からの経過時間と当該電子教材の再生位置の変化の組み合わせである再生履歴を受信する再生履歴受信手段と、
前記受信した再生履歴を、前記再生履歴データベースに記憶させる再生履歴記憶手段と、
前記記憶させた再生履歴について、一方を変数としたグラフを生成するグラフ生成手段と、
前記生成したグラフを、前記電子教材管理端末に送信するグラフ送信手段と、
を備えることを特徴とする電子教材分析サーバ。
【請求項２】
二以上の前記学習者利用端末から同一の前記電子教材について受信した再生履歴について、一方を変数とした複数のグラフを重ね合わせて、一のグラフを生成する複数グラフ生成手段と、
前記生成したグラフを、前記電子教材管理端末に送信する複数グラフ送信手段と、
を備えることを特徴とする請求項１に記載の電子教材分析サーバ。
【請求項３】
前記受信した再生履歴に基づいて、前記電子教材の、所定の間隔毎に区切られた各再生位置における再生速度を算出する再生速度算出手段と、
前記算出された再生速度を、所定の規則に基づいて得点化することで、再生位置ごとに再生速度に基づいた得点を算出する得点算出手段と、
二以上の前記学習者利用端末から同一の前記電子教材について受信した再生履歴について、前記算出した得点を集計する得点集計手段と、
前記集計した得点をグラフ化し、得点グラフとして可視化する得点グラフ生成手段と、
前記可視化した得点グラフを、前記電子教材管理端末に送信する得点グラフ送信手段と、
を備えることを特徴とする請求項１又は２に記載の電子教材分析サーバ。
【請求項４】
前記電子教材の、任意の再生位置において表示される画像を取得する教材画像取得手段と、
前記取得した表示画像を、前記電子教材管理端末に送信する教材画像送信手段と、を更に備えることを特徴とする請求項１に記載の電子教材分析サーバ。
【請求項５】
電子教材管理端末、及び一以上の、動画である電子教材の再生速度を変更可能な学習者利用端末と通信可能に接続され、前記学習者利用端末による前記電子教材の再生履歴を記憶させる再生履歴データベースを記憶部に備える電子教材分析サーバが実行する電子教材分析方法であって、
前記学習者利用端末から、一の前記電子教材について、視聴開始からの経過時間と当該電子教材の再生位置の変化の組み合わせである再生履歴を受信するステップと、
前記受信した再生履歴を、前記再生履歴データベースに記憶させるステップと、
前記記憶させた再生履歴について、一方を変数としたグラフを生成するステップと、
前記生成したグラフを、前記電子教材管理端末に送信するステップと、
を備えることを特徴とする電子教材分析方法。
【請求項６】
電子教材管理端末、及び一以上の、動画である電子教材の再生速度を変更可能な学習者利用端末と通信可能に接続され、前記学習者利用端末による前記電子教材の再生履歴を記憶させる再生履歴データベースを記憶部に備える電子教材分析サーバに、
前記学習者利用端末から、一の前記電子教材について、視聴開始からの経過時間と当該電子教材の再生位置の変化の組み合わせである再生履歴を受信するステップ、
前記受信した再生履歴を、前記再生履歴データベースに記憶させるステップ、
前記記憶させた再生履歴について、一方を変数としたグラフを生成するステップ、
前記生成したグラフを、前記電子教材管理端末に送信するステップ、
を実行させることを特徴とする電子教材分析サーバ用プログラム。
【手続補正書】
【提出日】平成26年11月11日(2014.11.11)
【手続補正１】
【補正対象書類名】特許請求の範囲
【補正対象項目名】全文
【補正方法】変更
【補正の内容】
【特許請求の範囲】
【請求項１】
電子教材管理端末、及び一以上の、動画である電子教材の再生速度を変更可能な学習者利用端末と通信可能に接続され、前記学習者利用端末による前記電子教材の再生履歴を記憶させる再生履歴データベースを記憶部に備える電子教材分析サーバであって、
前記学習者利用端末から、一の前記電子教材について、視聴開始からの経過時間と当該電子教材の再生位置の変化の組み合わせである再生履歴を受信する再生履歴受信手段と、
前記受信した再生履歴を、前記再生履歴データベースに記憶させる再生履歴記憶手段と、
前記記憶させた再生履歴について、一方を変数としたグラフを生成するグラフ生成手段と、
前記生成したグラフを、前記電子教材管理端末に送信するグラフ送信手段と、
前記電子教材の、任意の再生位置において表示される画像を取得する教材画像取得手段と、
前記取得した表示画像を、前記電子教材管理端末に送信する教材画像送信手段と、
前記受信した再生履歴に基づいて、前記電子教材の、所定の間隔毎に区切られた各再生位置における再生速度を算出する再生速度算出手段と、
前記算出された再生速度を、所定の規則に基づいて得点化することで、再生位置ごとに再生速度に基づいた得点を算出する得点算出手段と、
二以上の前記学習者利用端末から同一の前記電子教材について受信した再生履歴について、前記算出した得点を集計する得点集計手段と、
前記集計した得点をグラフ化し、得点グラフとして可視化する得点グラフ生成手段と、
前記可視化した得点グラフを、前記電子教材管理端末に送信する得点グラフ送信手段と、
を備えることを特徴とする電子教材分析サーバ。
【請求項２】
二以上の前記学習者利用端末から同一の前記電子教材について受信した再生履歴について、一方を変数とした複数のグラフを重ね合わせて、一のグラフを生成する複数グラフ生成手段と、
前記生成したグラフを、前記電子教材管理端末に送信する複数グラフ送信手段と、
を備えることを特徴とする請求項１に記載の電子教材分析サーバ。
【請求項３】
前記得点集計手段において、前記算出した得点を、前記学習者利用端末ごとに正規化して集計することを特徴とする請求項１に記載の電子教材分析サーバ。
【請求項４】
電子教材管理端末、及び一以上の、動画である電子教材の再生速度を変更可能な学習者利用端末と通信可能に接続され、前記学習者利用端末による前記電子教材の再生履歴を記憶させる再生履歴データベースを記憶部に備える電子教材分析サーバが実行する電子教材分析方法であって、
前記学習者利用端末から、一の前記電子教材について、視聴開始からの経過時間と当該電子教材の再生位置の変化の組み合わせである再生履歴を受信するステップと、
前記受信した再生履歴を、前記再生履歴データベースに記憶させるステップと、
前記記憶させた再生履歴について、一方を変数としたグラフを生成するステップと、
前記生成したグラフを、前記電子教材管理端末に送信するステップと、
前記電子教材の、任意の再生位置において表示される画像を取得するステップと、
前記取得した表示画像を、前記電子教材管理端末に送信するステップと、
前記受信した再生履歴に基づいて、前記電子教材の、所定の間隔毎に区切られた各再生位置における再生速度を算出するステップと、
前記算出された再生速度を、所定の規則に基づいて得点化することで、再生位置ごとに再生速度に基づいた得点を算出するステップと、
二以上の前記学習者利用端末から同一の前記電子教材について受信した再生履歴について、前記算出した得点を集計するステップと、
前記集計した得点をグラフ化し、得点グラフとして可視化するステップと、
前記可視化した得点グラフを、前記電子教材管理端末に送信するステップと、
を備えることを特徴とする電子教材分析方法。
【請求項５】
電子教材管理端末、及び一以上の、動画である電子教材の再生速度を変更可能な学習者利用端末と通信可能に接続され、前記学習者利用端末による前記電子教材の再生履歴を記憶させる再生履歴データベースを記憶部に備える電子教材分析サーバに、
前記学習者利用端末から、一の前記電子教材について、視聴開始からの経過時間と当該電子教材の再生位置の変化の組み合わせである再生履歴を受信するステップ、
前記受信した再生履歴を、前記再生履歴データベースに記憶させるステップ、
前記記憶させた再生履歴について、一方を変数としたグラフを生成するステップ、
前記生成したグラフを、前記電子教材管理端末に送信するステップ、
前記電子教材の、任意の再生位置において表示される画像を取得するステップ、
前記取得した表示画像を、前記電子教材管理端末に送信するステップ、
前記受信した再生履歴に基づいて、前記電子教材の、所定の間隔毎に区切られた各再生位置における再生速度を算出するステップ、
前記算出された再生速度を、所定の規則に基づいて得点化することで、再生位置ごとに再生速度に基づいた得点を算出するステップ、
二以上の前記学習者利用端末から同一の前記電子教材について受信した再生履歴について、前記算出した得点を集計するステップ、
前記集計した得点をグラフ化し、得点グラフとして可視化するステップ、
前記可視化した得点グラフを、前記電子教材管理端末に送信するステップ、
を実行させることを特徴とする電子教材分析サーバ用プログラム。
【手続補正２】
【補正対象書類名】明細書
【補正対象項目名】００１１
【補正方法】変更
【補正の内容】
【００１１】
第１の特徴に係る発明は、電子教材管理端末、及び一以上の、動画である電子教材の再生速度を変更可能な学習者利用端末と通信可能に接続され、前記学習者利用端末による前記電子教材の再生履歴を記憶させる再生履歴データベースを記憶部に備える電子教材分析サーバであって、
前記学習者利用端末から、一の前記電子教材について、視聴開始からの経過時間と当該電子教材の再生位置の変化の組み合わせである再生履歴を受信する再生履歴受信手段と、
前記受信した再生履歴を、前記再生履歴データベースに記憶させる再生履歴記憶手段と、
前記記憶させた再生履歴について、一方を変数としたグラフを生成するグラフ生成手段と、
前記生成したグラフを、前記電子教材管理端末に送信するグラフ送信手段と、
前記電子教材の、任意の再生位置において表示される画像を取得する教材画像取得手段と、
前記取得した表示画像を、前記電子教材管理端末に送信する教材画像送信手段と、
前記受信した再生履歴に基づいて、前記電子教材の、所定の間隔毎に区切られた各再生位置における再生速度を算出する再生速度算出手段と、
前記算出された再生速度を、所定の規則に基づいて得点化することで、再生位置ごとに再生速度に基づいた得点を算出する得点算出手段と、
二以上の前記学習者利用端末から同一の前記電子教材について受信した再生履歴について、前記算出した得点を集計する得点集計手段と、
前記集計した得点をグラフ化し、得点グラフとして可視化する得点グラフ生成手段と、
前記可視化した得点グラフを、前記電子教材管理端末に送信する得点グラフ送信手段と、
を備えることを特徴とする電子教材分析サーバを提供する。
【手続補正３】
【補正対象書類名】明細書
【補正対象項目名】００１２
【補正方法】変更
【補正の内容】
【００１２】
第１の特徴に係る発明によれば、電子教材管理端末、及び一以上の、動画である電子教材の再生速度を変更可能な学習者利用端末と通信可能に接続され、前記学習者利用端末による前記電子教材の再生履歴を記憶させる再生履歴データベースを記憶部に備える電子教材分析サーバは、前記学習者利用端末から、一の前記電子教材について、視聴開始からの経過時間と当該電子教材の再生位置の変化の組み合わせである再生履歴を受信し、前記受信した再生履歴を、前記再生履歴データベースに記憶させ、前記記憶させた再生履歴について、一方を変数としたグラフを生成し、前記生成したグラフを、前記電子教材管理端末に送信し、前記電子教材の、任意の再生位置において表示される画像を取得し、前記取得した表示画像を、前記電子教材管理端末に送信する。さらに、受信した再生履歴に基づいて、電子教材の、所定の間隔毎に区切られた各再生位置における再生速度を算出し、算出された再生速度を、所定の規則に基づいて得点化することで、再生位置ごとに再生速度に基づいた得点を算出し、二以上の学習者利用端末から同一の前記電子教材について受信した再生履歴について、前記算出した得点を集計し、集計した得点をグラフ化し、得点グラフとして可視化し、可視化した得点グラフを、電子教材管理端末に送信する。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】変更
【補正の内容】
【００１８】
第３の特徴に係る発明は、前記得点集計手段において、前記算出した得点を、前記学習者利用端末ごとに正規化して集計することを特徴とする、第１の特徴に係る発明である電子教材分析サーバを提供する。
【手続補正７】
【補正対象書類名】明細書
【補正対象項目名】００１９
【補正方法】変更
【補正の内容】
【００１９】
第３の特徴に係る発明によれば、第１の特徴に係る発明である電子教材分析サーバは、前記得点集計手段において、前記算出した得点を、前記学習者利用端末ごとに正規化して集計する。
【手続補正８】
【補正対象書類名】明細書
【補正対象項目名】００２０
【補正方法】変更
【補正の内容】
【００２０】
第４の特徴に係る発明は、電子教材管理端末、及び一以上の、動画である電子教材の再生速度を変更可能な学習者利用端末と通信可能に接続され、前記学習者利用端末による前記電子教材の再生履歴を記憶させる再生履歴データベースを記憶部に備える電子教材分析サーバが実行する電子教材分析方法であって、
前記学習者利用端末から、一の前記電子教材について、視聴開始からの経過時間と当該電子教材の再生位置の変化の組み合わせである再生履歴を受信するステップと、
前記受信した再生履歴を、前記再生履歴データベースに記憶させるステップと、
前記記憶させた再生履歴について、一方を変数としたグラフを生成するステップと、
前記生成したグラフを、前記電子教材管理端末に送信するステップと、
前記電子教材の、任意の再生位置において表示される画像を取得するステップと、
前記取得した表示画像を、前記電子教材管理端末に送信するステップと、
前記受信した再生履歴に基づいて、前記電子教材の、所定の間隔毎に区切られた各再生位置における再生速度を算出するステップと、
前記算出された再生速度を、所定の規則に基づいて得点化することで、再生位置ごとに再生速度に基づいた得点を算出するステップと、
二以上の前記学習者利用端末から同一の前記電子教材について受信した再生履歴について、前記算出した得点を集計するステップと、
前記集計した得点をグラフ化し、得点グラフとして可視化するステップと、
前記可視化した得点グラフを、前記電子教材管理端末に送信するステップと、
を備えることを特徴とする電子教材分析方法を提供する。
【手続補正９】
【補正対象書類名】明細書
【補正対象項目名】００２１
【補正方法】変更
【補正の内容】
【００２１】
第５の特徴に係る発明は、電子教材管理端末、及び一以上の、動画である電子教材の再生速度を変更可能な学習者利用端末と通信可能に接続され、前記学習者利用端末による前記電子教材の再生履歴を記憶させる再生履歴データベースを記憶部に備える電子教材分析サーバに、
前記学習者利用端末から、一の前記電子教材について、視聴開始からの経過時間と当該電子教材の再生位置の変化の組み合わせである再生履歴を受信するステップ、
前記受信した再生履歴を、前記再生履歴データベースに記憶させるステップ、
前記記憶させた再生履歴について、一方を変数としたグラフを生成するステップ、
前記生成したグラフを、前記電子教材管理端末に送信するステップ、
前記電子教材の、任意の再生位置において表示される画像を取得するステップ、
前記取得した表示画像を、前記電子教材管理端末に送信するステップ、
前記受信した再生履歴に基づいて、前記電子教材の、所定の間隔毎に区切られた各再生位置における再生速度を算出するステップ、
前記算出された再生速度を、所定の規則に基づいて得点化することで、再生位置ごとに再生速度に基づいた得点を算出するステップ、
二以上の前記学習者利用端末から同一の前記電子教材について受信した再生履歴について、前記算出した得点を集計するステップ、
前記集計した得点をグラフ化し、得点グラフとして可視化するステップ、
前記可視化した得点グラフを、前記電子教材管理端末に送信するステップ、
を実行させることを特徴とする電子教材分析サーバ用プログラムを提供する。